(57)【特許請求の範囲】
【請求項１】
曲率変化が可能な一枚構成の膜状ミラーシートの周縁を枠状ホルダーで把持、張設してなるミラー本体と、前記枠状ホルダーを出没自在に収納、保持するようになったアンダーカバーとからなり、前記膜状ミラーシートとアンダーカバーとによって形成される空間を気密状態に保持し、かつ枠状ホルダーの出没により、気密状態の空間の圧力をかえて鏡面の曲率を変化させるようにしたと共に、枠状ホルダーの出没による弁の開閉によって、前記の気密状態の空間が大気圧と適宜同調することができる手段を組込んだことを特徴とするミラー。
【請求項２】
前記出没自在による手段が、回動機構によるものであることを特徴とする請求項１記載のミラー。
【請求項３】
前記出没自在による手段が、カム機構によるものであることを特徴とする請求項１記載のミラー。
【請求項４】
前記膜状ミラーシートとアンダーカバーとによって形成される空間の気密状態において、膜状ミラーシートを平面状に一時的に保持する固定手段と、膜状ミラーシートを湾曲状に一時的に保持する固定手段とを組込んだことを特徴とする請求項１ないし３記載のミラー。
【発明の詳細な説明】
【技術分野】
【０００１】
この発明は、化粧用あるいは髭剃り用等に使用するミラーに関するものである。
【背景技術】
【０００２】
従来より、化粧あるいは髭剃り等を行なう場合、鏡が不可欠で種々の鏡が使用されている。これらの用途に用いる鏡としては、平面鏡が一般的であるが、凹面鏡としても使用することが必要な場合がある。
このため、鏡の両面を用い一方を平面鏡、他方を凹面鏡とし、目的に応じて反転させて使用する洗面用の鏡が、古くからホテル等で用いられている。
【先行技術文献】
【特許文献】
【０００３】
【特許文献１】特開平１０−１６５２７３号公報
【非特許文献】
【０００４】
【非特許文献１】Arthur L. Palisoc(L’Garde,Inc.)、”Large Telescope Using a Holographically-Corrected Membrane Mirror”、[Online]、June 6-7,2000、[平成２１年６月３日検索]、インターネット、<URL: 1263514666265_0.pdf
【発明の概要】
【発明が解決しようとする課題】
【０００５】
前述の先行技術文献のうち、特許文献１に示された可変ミラーは、周縁部をフレームに支持された可撓性鏡面板の中央部を、スライドする軸とカムを組合わせた調節機構を操作ハンドルの回転により作動させ、平面鏡、凹面鏡、凸面鏡に切り替えるもので、手鏡等として用いられるものである。
このように板状の鏡面材を用いてこの曲率を変化させる場合、特許文献１のように鏡面板に直接力を加えると、力を加えた箇所とそうでない箇所との曲率の変化に微妙な差ができて曲面が歪むおそれがあり、また機械的に曲率を変えるため、ある程度曲率の変化を段階的にせざるを得ない場合も生じ、任意の曲率が選びにくい面もある。
【０００６】
一方非特許文献１には、曲率変化が可能な鏡面シートを気体の圧力で変形させて一種の凹面鏡や凸面鏡とし、大型の反射望遠鏡に利用する技術が開示されている。この技術によれば、前記特許文献１に開示された鏡とは異なり、鏡面シートに非接触な状態で変化させることができるため、鏡面が歪んだり曲率変化が段階的になるという惧れはなくなる。
【０００７】
本発明は、非特許文献１の着想と同様に、気体を巧みに利用し、ミラー面に非接触の状態で曲面が変化できる機構を採用するものであるが、このような大規模な光学装置に用いるものではなく、身近で手軽に用いることができる鏡について検討した結果、一枚構成の膜状ミラーシートを用いてこれとアンダーカバーとによって気密状態の空間を形成し、この空間の圧力を変化させて平面鏡又は凹面鏡として使用できるミラーを提供しようとするものである。
【課題を解決するための手段】
【０００８】
すなわち本発明の要旨とするところは、曲率変化が可能な一枚構成の膜状ミラーシートの周縁を枠状ホルダーで把持、張設してなるミラー本体と、前記枠状ホルダーを出没自在に収納、保持するようになったアンダーカバーとからなり、前記膜状ミラーシートとアンダーカバーとによって形成される空間を気密状態に保持し、かつ枠状ホルダーの出没により、気密状態の空間の圧力をかえて鏡面の曲率を変化させるようにした共に、枠状ホルダーの出没による弁の開閉によって、前記の気密状態の空間が大気圧と適宜同調することができる手段を組込んだことを特徴とするミラーにある。
また本発明では、枠状ホルダーの出没自在による手段を、回動機構によることができるばかりでなく、これをカム機構で行うこともできる。さらに前記膜状ミラーシートとアンダーカバーとによって形成される空間の気密状態において、膜状ミラーを平面状に一時的に保持する固定手段と、膜状ミラーシートを湾曲状に一時的に保持する固定手段とを組込むこともできる。
【発明の効果】
【０００９】
本発明は、前述の如き構成からなるものであるから、一枚構成の膜状ミラーシートを用いてアンダーカバーとによる空間を気密状態に保持することにより、この空間の圧力を、枠状ホルダーを出没させ膜状ミラーシートとは非接触で操作してミラー面の曲率を変化させることができるようになっており、この結果膜状ミラーシート全面にわたって曲面部の曲率を滑らかに変化させることができるので、歪みがないミラーが提供でき、しかもその構造上平面鏡と凹面鏡とを所望の曲率に操作できる利点があり、なおかつ構造が簡潔であって軽量化を図ることができると共に、枠状ホルダーの出没による弁の開閉によって、気密状態の空間が大気圧と同調して、内部の気体が膨張収縮ことを防止し、平面状態を保持できるようになっている。
【図面の簡単な説明】
【００１０】
【図１】本発明の一実施例を示す分解斜視図である。
【図２】本発明を平面鏡として使用したときの部分拡大断面図である。
【図３】図２のＢ部の拡大断面図である。
【図４】本発明を凹面鏡として使用したときの部分拡大断面図である。
【図５】本発明の別の実施例を示す側面図である。
【図６】図５の断面図である。
【図７】図６のＣ箇所の拡大断面図である。
【図８】図６のＣの箇所とは異なる箇所の拡大断面図である。
【図９】図５を凹面鏡としたときの側面図である。
【図１０】図９の断面図である。
【図１１】図１０のＤ箇所の拡大断面図である。
【発明を実施するための形態】
【００１１】
以下本発明の実施の形態を図面に基づき説明する。図中、図１ないし図４は本発明の一実施例を示すもので、このうちの図１は、ミラー本体１とアンダーカバー２とを分解して示したものである。
ミラー本体１は、枠状ホルダー３で膜状ミラーシート４を把持、張設してなっており、枠状ホルダー３の側部から突出した４本のピン５にはそれぞれにローラー６が嵌合されている。
【００１２】
アンダーカバー２は、これより若干小径で相似形状でかつ上方に凸の断面逆浅皿状のベース７の周囲に円周状の溝８が設けられ、この溝８内には、前記４個のローラー６が噛み合うように設けられた螺旋溝９が形成されている。さらに、この螺旋溝９の適所の上側と下側には踊り場が設けられている。
そしてこのアンダーカバー２には、前述したミラー本体１が矢印Ａ方向に被せられ、ミラー本体１が回動機構によって出没自在に取付けられている。
【００１３】
図２は両者１、２が取付けられた状態でかつ、ミラー本体１がアンダーカバー２に収まり平面鏡としたときの状態を示している。同図において、膜状ミラーシート４は、一枚構成となっており、例えば厚さ２５μの透明ポリエステルフィルムの内側面にアルミ蒸着膜によるミラー面が形成されたものが用いられている。
そしてこの膜状ミラーシート４は、環状の枠状ホルダー３によって把持、張設されてる。すなわちこの状態は、図３にも示す通り、枠状ホルダー３の押え枠３Ａと、周囲に壁をもった受け枠３Ｂとに挟まれた状態で把持されている。より具体的には、図３で示すように押え枠３Ａの下面に設けられた凸条３Ａ’と、これに対応して設けられた受け枠３Ｂの凹溝３Ｂ’との間で凹凸嵌合され、シワのないように確実に張設されている。
【００１４】
図２及び図３では、膜状ミラーシート４とアンダーカバー２との間の空間Ｓがほぼ気密状態で平面になっているので、このミラーは通常の平面鏡として使用することができる。
この実施例においては、この状態で空間Ｓは大気圧と同調するようになっている。すなわち、受け枠３Ｂの壁の下方位置は収納溝１３が設けられ、ここに環状のＯリング１４が収納されている。
ミラーとして使用しているときに、高速のエレベーターに乗るなどして急激に大気圧が変化する場合、膜状ミラーシート４の平面に影響を及ぼすことがあるので、アンダーカバー２の溝８の立上り壁１１の適所すなわち、一部空気が流れる箇所に小さい透孔１２を設け、若干の空気の連通が生じるようになっているので、空間Ｓが大気圧と同調し、平面状態が保持できるようなっている。なお、図中１５は螺旋溝を形成する外側の壁である。
【００１５】
次に本発明のミラーを凹面鏡として使用する状態について、図４に基づき説明する。
この図は、前記図２及び図３の状態から枠状ホルダー３を回動させ、アンダーカバー２より突出させた状態を示している。すなわち図４は、枠状ホルダー３を反時計方向に最大まで回動させたときの状態を示しており、このとき図３で示したローラー６は螺旋溝９を昇っていき、上方の踊り場１０で一時的に保持されるようになっている。  
この状態では、枠状ホルダー３で保持された膜状ミラーシート４は曲率変化が可能なため、気密状態で広がった空間Ｓの容積が拡大されるため減圧し所定の湾曲状態となり、歪みのない凹面鏡として使用できるようになる。この操作は、枠状ホルダー３を回動させるだけなので簡単に行うことができ、これを平面鏡に戻すときには、枠状ホルダー３を逆に回すことにより簡単に行うことができる。
なおアンダーカバー２のベース７は、空間Ｓの容積をできるだけ小さくし、空間を広げたときに大きな減圧が得られるように、図のように逆皿状にすることが有利であり、これによって重量の軽減も図れるものである。
【００１６】
次に本発明の別の実施例を図５ないし図１１に基づいて説明する。この例は、前記実施例が回動機構に出没させる方式であるのに対し、カム機構によって行うものである。
同図において１はミラー本体、２はアンダーカバー、３は枠状ホルダー、４は膜状ミラーシートをそれぞれ示すものである。そして枠状ホルダー３は、押え枠３Ａと受け枠３Ｂとからなっており、この間に膜状ミラーシート４を挟んで把持、張設するようになっており、前記例と同様、枠状ホルダー３とアンダーカバー２とにより、空間Ｓが気密状態に保持されるようになっている。
【００１７】
そして図５において、枠状ホルダー３とアンダーカバー２との両側でその間が互いに同軸で繋がれた一対のカム１６と一つのカムハンドル１７とが設けられている。図５及び図６の状態では、カム１６は倒れた状態となっており、この状態では張設された膜状ミラーシート４は、平面状で平面鏡として機能している。このときの空間Ｓは、図８に示すように図７とは異なる箇所に小さな透孔１２が設けられているので、枠状ホルダー３とアンダーカバー２との間に僅かな隙間が存在することとなり、大気圧と同調できるようになっている。したがって前記の実施例と同様、急激な圧力変化が生じたときも、膜状ミラーシート４に歪みなどない状態で使用できる。なお、図におけるベース７は中実状になっているが、前記実施例と同様、これを断面浅皿状に成形したものを用いることができる。
【００１８】
次にこの実施例を凹面鏡として使用する場合について説明すると、図９及び図１０の状態に操作することで簡単に行うことができる。
すなわち図９に示すように、アンダーカバー２側方に設けたカムハンドル１７によってカム１６を起立させると、図１０のように空間Ｓの容積が大きくなり、膜状ミラーシート４は、上方に凹に曲率が変化し、歪みのない凹面鏡として使用できるようになる。
このとき枠状ホルダー３とアンダーカバー２とは、図１１のようにカム１６が起立したことにより、収納溝１３に納めＯリング１４がベース７の壁に作用して空間Ｓは気密状態となっている。凹面鏡から平面鏡に戻すときは、カム１６をカムハンドル１７によって倒すだけで簡単に操作することができる。
【００１９】
なお本発明に使用する曲率変化が可能な膜状ミラーシート４としては、前述した透明ポリエステルフィルムの厚さが好ましいが、これを５〜５０μｍ程度のものから選択して使用できるし、他のプラスチックフィルムも用いることができる。また、ミラー面のアルミ蒸着膜の代わりに銀膜を形成させることも可能であり、さらにはこのミラー面上に保護膜を設けることもできる。
また本発明は、ミラーとして使用するために便利な、例えばミラーのカバーや手鏡として用いる際の把持部あるいは壁面等への部材を取り付けたりすることが可能である。
【００２０】
Ａ      矢印
Ｂ      図２の拡大箇所
Ｃ      図６の拡大箇所
Ｄ      図９の拡大箇所
Ｓ      空間
１      ミラー本体
２      アンダーカバー
３      枠状ホルダー
４      膜状ミラーシート
５      ピン
６      ローラー
７      ベース
８      溝
９      螺旋溝
１０    踊り場
１１    立上り壁
１２    透孔
１３    収納溝
１４    Ｏリング
１５    壁
１６    カム
１７    カムハンドル
【図１】
0005500544.tif 000002
【図２】
0005500544.tif 000003
【図３】
0005500544.tif 000004
【図４】
0005500544.tif 000005
【図５】
0005500544.tif 000006
【図６】
0005500544.tif 000007
【図７】
0005500544.tif 000008
【図８】
0005500544.tif 000009
【図９】
0005500544.tif 000010
【図１０】
0005500544.tif 000011
【図１１】
0005500544.tif 000012